(57)【要約】【課題】本発明は、点検歩廊における配線敷設構造に関し、従来では、実験室などにおける設備スペースを天井裏に設けていて、空調配管などが密集するので、配線の敷設施工が困難であるとともに、点検なども高所作業になって困難であることが課題であって、それを解決することである。【解決手段】建物の天井裏に設備スペースと点検歩廊とを有するとともに、前記点検歩廊内において床材と同じ厚みの配線用部材が敷設されて配線スペースが確保され、該配線用部材の内部空間に配線が敷設されている点検歩廊における配線敷設構造１とするものである。【選択図】図１
2016142115.tif 000002
【特許請求の範囲】
【請求項１】
建物の天井裏に設備スペースと点検歩廊とを有するとともに、前記点検歩廊内において床材と同じ厚みの配線用部材が敷設されて配線スペースが確保され、該配線用部材の内部空間に配線が敷設されていること、
を特徴とする点検歩廊における配線敷設構造。
【請求項２】
配線用部材には着脱自在な蓋が設けられ、該蓋の内側に水平方向のズレを防止するズレ止め手段が設けられているとともに、前記蓋の上表面に内部空間に敷設された配線の使用目的が目視で判るように配線方向に沿った表示手段が設けられていること、
を特徴とする請求項１に記載の点検歩廊における配線敷設構造。
【請求項３】
床材の敷設方向に直交する方向に敷設される配線用部材には、前記床材の端部を支持する支持部材が当該配線用部材の側壁側に突設されていること、
を特徴とする請求項１または２に記載の点検歩廊における配線敷設構造。
【請求項４】
建物の天井裏に設備スペースを設け、更に、その設備スペース内に点検歩廊を構築する際に、床材と同じ厚みの配線用部材を点検歩廊内に敷設して配線スペースを確保し、該配線スペースに配線を敷設すること、
を特徴とする点検歩廊における配線敷設構造の構築工法。
【請求項５】
配線用部材が点検歩廊用の床材と直交配置の状態になる場合に、前記配線用部材の側壁側に前記床材支持用の支持部材を突設し、当該支持部材付きの配線用部材を敷設した後に、前記床材を、その端部を前記支持部材に支持させて敷設すること、
を特徴とする請求項４に記載の点検歩廊における配線敷設構造の構築工法。
【請求項６】
配線用部材を敷設した後、配線を前記配線用部材の内部空間に配線し、当該配線の使用目的が目視で判る表示手段が設けられた蓋を前記配線用部材に閉蓋させること、
を特徴とする請求項４または５に記載の点検歩廊における配線敷設構造の構築工法。
【発明の詳細な説明】
【技術分野】
【０００１】
本発明は、実験室などの天井裏に設けられる設備スペースにおける、点検歩廊における配線敷設構造とその構築工法に関するものである。
【背景技術】
【０００２】
従来、研究施設における実験室などの天井裏に、人が歩行できる高さの設備スペースを設けて、２４時間、温湿度制御が必要な施設（ＩＳＳ：INTERSTITIAL  SPACEと称される）とすることで、実験空間と設備空間とを明確に分離・統合により施設の可変性と更新性を高めたものが知られている。
【０００３】
前記設備スペースの一部に点検歩廊を有した建築構造物として、例えば、特許文献１に記載したものが知られている。
【先行技術文献】
【特許文献】
【０００４】
【特許文献１】特開２００１−２２０９０６号公報
【発明の概要】
【発明が解決しようとする課題】
【０００５】
しかし、従来の設備スペースにおいては、天井裏スペースであるため、非常に狭く、空調配管、ダクト、衛生配管だけでも密集しており、比較的自由がきく配線は、それらの配管の間を縫うようにして配線施工しなければならない。また、配線施工が困難であることばかりでなく、その点検・更新も困難である。
【０００６】
更に、図４に示すように、配線６の敷設は、スラブなどから吊りボルト１１ａで吊持した配線ラック１１などで行うが、高い位置にあるのでその施工・点検に脚立などが必要となる。また、前記配線ラック１１内には様々な配線が混在していて、一見しただけでは何用の配線であるかが判りずらいものである。本発明に係る点検歩廊における配線敷設構造とその構築工法は、このような課題を解決するために提案されたものである。
【課題を解決するための手段】
【０００７】
本発明に係る点検歩廊における配線敷設構造の上記課題を解決して目的を達成するための要旨は、建物の天井裏に設備スペースと点検歩廊とを有するとともに、前記点検歩廊内において床材と同じ厚みの配線用部材が敷設されて配線スペースが確保され、該配線用部材の内部空間に配線が敷設されていることである。
【０００８】
前記配線用部材には着脱自在な蓋が設けられ、該蓋の内側に水平方向のズレを防止するズレ止め手段が設けられているとともに、前記蓋の上表面に内部空間に敷設された配線の使用目的が目視で判るように配線方向に沿った表示手段が設けられていることである。
【０００９】
前記床材の敷設方向に直交する方向に敷設される配線用部材には、前記床材の端部を支持する支持部材が当該配線用部材の側壁側に突設されていることを含むものである。
【００１０】
本発明に係る配線敷設構造の構築工法の要旨は、建物の天井裏に設備スペースを設け、更に、その設備スペース内に点検歩廊を構築する際に、床材と同じ厚みの配線用部材を点検歩廊内に敷設して配線スペースを確保し、該配線スペースに配線を敷設することである。
【００１１】
前記配線用部材が点検歩廊用の床材と直交配置の状態になる場合に、前記配線用部材の側壁側に前記床材支持用の支持部材を突設し、当該支持部材付きの配線用部材を敷設した後に、前記床材を、その端部を前記支持部材に支持させて敷設することである。
【００１２】
前記配線用部材を敷設した後、配線を前記配線用部材の内部空間に配線し、当該配線の使用目的が目視で判る表示手段が設けられた蓋を前記配線用部材に閉蓋させることを含むものである。
【発明の効果】
【００１３】
本発明の点検歩廊における配線敷設構造とその構築工法によれば、点検歩廊内に配線が敷設できてスペースの有効活用となる。当該配線の点検・更新がし易くなる。更に、敷設する配線が多い場合には、配線用部材を複数並設して敷設し、迅速に対応することができる。また、床に配線するので、高いところを見るための脚立などを持ち歩く必要が無く、点検がより一層容易になる。
【００１４】
更に、前記配線の用途毎に列を組み合わせ、それに沿って蓋に表示手段を設けることで、一目で何用の配線が敷設されているのかが、判るものである。
配線を床に敷き込むだけなので、上階のスラブから吊りボルトで取り付けるよりも、施工性が格段に良いと言う優れた効果を奏するものである。
【図面の簡単な説明】
【００１５】
【図１】本発明に係る点検歩廊における配線敷設構造を示す断面図であって、図３−ＢにおけるＡ−Ａ線に沿った断面図である。
【図２】同本発明に係る点検歩廊における配線敷設構造を示す断面図であって、図３−ＢにおけるＢ−Ｂ線に沿った断面図である。
【図３−Ａ】同本発明に係る点検歩廊における配線構造に係る、建物の設備スペース（ＩＳＳ）の断面図である。
【図３−Ｂ】同本発明に係る点検歩廊における配線構造に係る、建物の設備スペース（ＩＳＳ）の平面図である。
【図４】従来例に係る設備スペース（ＩＳＳ）内の配線構造を示す一部断面図である。
【発明を実施するための形態】
【００１６】
本発明に係る点検歩廊における配線敷設構造とその構築工法は、図１に示すように、配線スペースを、敷設される点検歩廊の間に介在させて、敷設するものである。
【実施例１】
【００１７】
本発明に係る点検歩廊における配線構造１は、図１乃至図３−Ｂに示すように、建物の天井裏に設備スペース２と点検歩廊３とを有するとともに、前記点検歩廊３用に敷設される鋼製の床材４がある。該床材４は、その一例として、長さ４０００×巾２５０×高さ６０（ｍｍ）程度の大きさである。
【００１８】
前記床材４に隣接して、当該床材４と同じ厚みで、同じ巾、同材質で凹型の配線用部材５が少なくとも１列であり、例えば、図１では２列、図２では１列に敷設した実施例で示すように敷設される。このように、点検歩廊３の一部若しくは全部において、配線スペース５ａが確保され、点検歩廊用のスペースが配線スペースとして兼用される。そして、前記配線用部材５の内部空間５ｂに、配線６，６…が敷設されているものである。
【００１９】
図１に示すように、前記配線用部材５の上開口部には着脱自在な鋼製の蓋７が設けられ、該蓋７の内側に水平方向（左右方向）のズレを防止するズレ止め手段７ａが設けられている。この蓋７は、内部に貫通する細い巾のスリットが、任意の方向に多数設けられ、内部が目視できるようになっている。
【００２０】
更に、前記蓋７の上表面に内部空間に敷設された配線６の使用目的が、作業員の目視で判るように、配線方向に沿った表示手段（図示せず）が、例えば、配線６方向に沿って色分けする表示手段などが設けられている。これによって、配線６の点検・更新などの作業がスムーズで、効率的になるものである。
【００２１】
また、図２に示すように、前記床材４の敷設方向に直交する方向に敷設される（図３−Ｂに示すＢ−Ｂ線に沿った断面を参照）配線用部材５には、前記床材４の端部を支持するＬ字形断面で鋼製の支持部材５ｃが、当該配線用部材５の側壁側に突設され、溶接などの手段で固着されている。この支持部材５ｃは、前記配線用部材５の側壁の一部を外側に切り起こして、配線用部材５の本体と一体にして形成しても良い。
【００２２】
前記支持部材５ｃに、床材４の端部が載置されると、当該床材４を位置固定する。それには、図２に示すように、前記床材４に具備された金物の位置固定部材４ａの先端部を、ネジ部が設けられたボルトなどの締付け手段４ｂをドライバーなどで締め付け方向に回転させることで、図２中において上に押し上げる。こうすることで、前記支持部材５ｃの下端部が、床材４の底部と、前記位置固定部材４ａの先端部とで、挟持されて、前記床材４が位置固定される。
【００２３】
このようにして、図３−Ａに示す設備スペース２に敷設される点検歩廊３において、図３−Ｂに示す様な配線スペース５ａが構築されるものである。以下、点検歩廊における配線構造の構築方法について説明する。
【実施例２】
【００２４】
先ず、図３−Ａに示す様に、建物においてそのスラブ９，９間の高さ約６ｍの半分の３ｍ程度の高さにして、例えば研究施設などにおける実験室１０を構築する。
【００２５】
前記実験室１０の天井裏に、設備スペース２を設け、更に、図３−Ｂに示すように、その設備スペース２内に点検歩廊３用の床材４を、梁８，８間に架設して敷設し、点検歩廊３を構築する。その際に、前記床材４と同じ厚みの配線用部材５を当該床材４に隣接させて敷設して配線スペース５ａを確保し、該配線スペース５ａに配線６を敷設する。
【００２６】
また、前記配線用部材５の配置が、点検歩廊用の床材４と直交配置の状態になる場合に、図２に示すように、前記配線用部材５の側壁側に前記床材支持用の支持部材５ｃを突設し、当該支持部材５ｃ付きの配線用部材５を、Ｈ形鋼材の梁８の上に敷設した後に、前記床材４を、当該床材４の端部を前記支持部材５ｃに支持させて、直交方向に敷設する。
【００２７】
前記配線用部材５を、前記床材４に平行にして、若しくは、直交させて、敷設した後、配線６を前記配線用部材５の内部空間５ｂに配線し、当該配線６の使用目的が目視で判る表示手段が設けられた蓋７を、前記配線用部材５の上開口部に閉蓋させる。
【００２８】
以上のように、点検歩廊３に介在させて配線スペース２が確保され、配線施工工事が容易になると共に、点検・更新なども、従来の高所作業にならず、容易で効率的に行えるものである。
【産業上の利用可能性】
【００２９】
本発明に係る点検歩廊における配線敷設構造とその構築工法は、実験室などの上に設備スペース２を構築する場合に広く適用できる。
【符号の説明】
【００３０】
１          点検歩廊における配線構造、
２          設備スペース、
３          点検歩廊、
４          床材、                        ４ａ        位置固定部材、
４ｂ        締付け手段、                    
５          配線用部材、                  ５ａ        配線スペース、
５ｂ        内部空間、                    ５ｃ        支持部材、
６          配線、
７          蓋、                          ７ａ        ズレ止め手段、
８          梁、                          ８ａ        フランジ、
９          スラブ、
１０        実験室、
１１        配線ラック、                  １１ａ      吊りボルト。
【図１】
2016142115.tif 000003
【図２】
2016142115.tif 000004
【図３−Ａ】
2016142115.tif 000005
【図３−Ｂ】
2016142115.tif 000006
【図４】
2016142115.tif 000007